(57)【特許請求の範囲】
【請求項１】
コントローラ（ｅＮＢ）によって各々が制御されるセルを備える無線セルラ・ネットワーク（ＮＴＷ）内で近隣セル（ＮＣ）を発見するための方法であって、セル（Ｃ）を制御するコントローラ（ｅＮＢ）に関して、
−  （ａ）周波数リストにおいて周波数（ｆ）を選択するステップであって、各周波数が、優先度（Ｐｒｉｏ）、目標値（ＴＶ）およびカウンタ（Ｃｏｕｎｔ）に関連付けられ、そして、前記周波数（ｆ）が、それの優先度（Ｐｒｉｏ）に従って、前記周波数リストから選択される、ステップ、
−  （ｂ）前記セル（Ｃ）内に置かれ、前記コントローラ（ｅＮＢ）に接続された端末（ＵＥ）を選択するステップ、
−  （ｃ）前記選択された端末（ＵＥ）に制御メッセージを送信するステップであって、前記制御メッセージが、前記選択された周波数（ｆ）について、前記セル（Ｃ）の近隣セル（ＮＣ）に関する無線測定を実行するための要求を含む、ステップ、
−  （ｄ）前記周波数（ｆ）に関連するカウンタ（Ｃｏｕｎｔ）をインクリメントするステップ、
−  （ｅ）前記カウンタ（Ｃｏｕｎｔ）が、前記選択された周波数（ｆ）の目標値（ＴＶ）と等しい場合に、次いで、前記周波数リストから前記選択された周波数（ｆ）を削除するステップ、
−  前記周波数リストが空になるまで、所定の時間（Ｔｃ）の間ステップ（ａ）、（ｂ）、（ｃ）、（ｄ）および（ｅ）を繰り返すこと、
を備える、方法。
【請求項２】
前記選択された周波数（ｆ）が、最も高い優先度（Ｐｒｉｏ）を有するものである、請求項１に記載の方法。
【請求項３】
前記選択された端末（ＵＥ）が、前記コントローラ（ｅＮＢ）と新たに接続された端末である、請求項１乃至２のいずれか１項に記載の方法。
【請求項４】
前記選択された端末（ＵＥ）が、前記コントローラ（ｅＮＢ）と既に接続された端末である、請求項１乃至２のいずれか１項に記載の方法。
【請求項５】
・前記セル（Ｃ）内に既に置かれ、前記コントローラ（ｅＮＢ）と接続された、新たな測定を行うために使用可能なすべての端末（ＵＥ）を選択するステップと、
・前記選択された端末（ＵＥ）に制御メッセージを送信するステップであって、前記制御メッセージが、前記選択された周波数（ｆ）について、前記セル（Ｃ）の近隣セル（ＮＣ）に関する無線測定を実行するための要求を含む、ステップとをさらに備える、請求項１乃至４のいずれか１項に記載の方法。
【請求項６】
前記所定の時間（Ｔｃ）の後にカウンタ（Ｃｏｕｎｔ）をリセットするステップをさらに備える、請求項１乃至５のいずれか１項に記載の方法。
【請求項７】
前記近隣セル（ＮＣ）が、ＬＴＥセル、または、別の無線技術によるセルである、請求項１乃至６のいずれか１項に記載の方法。
【請求項８】
セルを備える無線セルラ・ネットワーク（ＮＴＷ）内のコントローラ（ｅＮＢ）であって、セル（Ｃ）を制御し、
−  周波数リストにおける周波数（ｆ）と、前記コントローラ（ｅＮＢ）と接続された端末（ＵＥ）とを選択するための選択手段（ｓｅｌｅｃｔ＿ｍｅａｎｓ）であって、各周波数が、優先度（Ｐｒｉｏ）、目標値（ＴＶ）およびカウンタ（Ｃｏｕｎｔ）に関連付けられ、前記周波数（ｆ）が、それの優先度（Ｐｒｉｏ）に従って、前記周波数リストから選択される、選択手段と、
−  前記選択された端末（ＵＥ）に制御メッセージを送信するための構成手段（ｃｏｎｆｉｇ＿ｍｅａｎｓ）であって、前記制御メッセージが、前記選択された周波数（ｆ）について、前記セル（Ｃ）の近隣セル（ＮＣ）に関する無線測定を実行するための要求を含む、構成手段と、
−  前記周波数（ｆ）に関連する前記カウンタ（Ｃｏｕｎｔ）をインクリメントするためのインクリメント手段（ｉｎｃｒｅｍｅｎｔ＿ｍｅａｎｓ）と、
−  前記周波数（ｆ）に関連する前記目標値（ＴＶ）と前記カウンタ（Ｃｏｕｎｔ）を比較し、前記カウンタ（Ｃｏｕｎｔ）が、前記目標値（ＴＶ）と等しい場合に、前記周波数リストから前記選択された周波数（ｆ）を削除するための比較手段（ｃｏｍｐａｒｅ＿ｍｅａｎｓ）と、
を備え、
前記周波数リストが空になるまで、所定の時間（Ｔｃ）の間、前記選択、前記送信、前記インクリメントおよび前記比較の繰り返しを許可する、コントローラ（ｅＮＢ）。
【請求項９】
コンピュータにロードされたときに前記コンピュータに請求項１乃至７のいずれか１項に記載の方法を実行させる１セットの命令を含む、前記コンピュータのためのコンピュータ・プログラム（ＰＧ）。
【発明の詳細な説明】
【技術分野】
【０００１】
本発明は、無線セルラ・ネットワークにおいてコントローラによって供されるあるセルの近隣セルを発見するための方法に関する。
【背景技術】
【０００２】
初期の頃は、無線セルラ・ネットワークの構成および前記ネットワークの要素は、オペレータが手動で判定し、構成実体（Ｅｎｔｉｔｙ）に送信されている。次いで、前記構成実体は、判定された構成をネットワークの各要素に送信する。構成は、ネットワークのコントローラの無線パラメータ（たとえば、発せられる電力、使用される帯域幅…）、および、ネットワークのセルの間の近隣関係（ＮＲ）として定義されることに留意されたい。近隣関係は、３ＧＰＰ規格３６．３００第２２．３．２ａ項において定義される。
【０００３】
従来の無線セルラ・ネットワークにおける近隣関係の手動での管理は、困難な仕事であり、２Ｇ／３Ｇセルが既に存在する一方で、新しいモバイル技術が展開されるにつれて、より難しくなる。たとえば、ＬＴＥ技術では、ＬＴＥ内近隣関係を定義することに加えて、オペレータは、近隣の２Ｇ、３Ｇ、ＣＤＭＡ２０００セルも同様に考慮しなければならないので、その仕事は、オペレータにとって困難になる。
【０００４】
３ＧＰＰによって定義される自動近隣関係（ＡＮＲ）機能は、近隣関係を手動での管理する負担からオペレータを解放することを目的とする。本ＡＮＲ機能は、ネットワーク（基地局）のコントローラ内に実装され、コントローラによって供される各セルの近隣関係を自動的に管理することを目的とする。それは、近隣セルを発見するためにセル内に置かれた端末を使用するコントローラのために存在する。
【０００５】
実際、セルは、端末がセルを識別するために使用する、物理セル識別（ＰＣＩ）と称される、識別署名をブロードキャストする。これらの識別署名は、固有ではなく（ＬＴＥ内に５０４の異なるＰＣＩが存在する）、セルは、端末によって検出および報告され得る、セル・グローバル識別子（ＣＧＩ）と称される、他の識別署名をブロードキャストする。各セルは、固有のＣＧＩを有する。しかし、ＣＧＩを検出することは、ＰＣＩを検出することに比べて、より困難で、時間を要し、これはＣＧＩ検出の限定的使用を暗示する。結果として、コントローラは、ＰＣＩとＣＧＩの間のマッピングを管理する。これは、端末が、ＰＣＩのみの測定でセルを識別することを可能にする。
【０００６】
３ＧＰＰ規格は、ＡＮＲ機能のためのいくつかの基本ステップを定義する：
−  コントローラは、セル内に置かれ、コントローラに接続された端末に、セルの近傍でＡＮＲ測定を実行するように指示する。
−  各端末が、コントローラに測定レポートを送信する。このレポートは、検出された近隣セルのＰＣＩ、トラッキング・エリア・コード（ＴＡＣ）、および、すべての使用可能なオペレータ・コード（ＰＬＭＮ  ＩＤ）を含む。
−  ＰＣＩ−ＣＧＩの関係がコントローラにおいて存在しない場合、コントローラは、検出されたセルのＣＧＩを報告するように端末に指示する。
−  コントローラが、セルとあらゆる検出されたセルの間の近隣関係を作成および提示する。
【０００７】
発見すべき多数の周波数において多数の近隣セルが存在する。実際に、多数のＬＴＥ周波数と、各周波数における多数のセルが存在する。さらに、ＡＮＲ機能はまた、他の無線アクセス技術に適用され、多数のＵＴＲＡＮおよび／またはＧＥＲＡＮおよび／またはＣＤＭＡ２０００周波数が存在し得る。あらゆる技術のあらゆる近隣セルが、発見される必要がある。
【０００８】
ＡＮＲ機能に使用される端末の個体数は、発見すべき異なる近隣セルの数と比べて希少資源であるので、それらは効率的に使用される必要がある。
【発明の概要】
【発明が解決しようとする課題】
【０００９】
ＡＮＲ測定のためにセルと接続されたモバイルに周波数を割り当てることを可能にする、オペレータ・ネットワーク内でコントローラによって供されるあるあるセルの近隣セルを発見するための方法を提供することが、本発明の目的である。
【課題を解決するための手段】
【００１０】
この目的のために、コントローラによって各々制御される、セルを備える無線セルラ・ネットワークにおいて近隣セルを発見するための方法が提供され、本方法は、セルを制御するコントローラに関して、以下を備える：
−  （ａ）：周波数リストにおいて周波数を選択するステップであって、各周波数が優先度、目標値およびカウンタと関連付けられ、前記周波数がその優先度に従って周波数リスト内で選択される、ステップ、
−  （ｂ）：セル内に置かれ、コントローラと接続された端末を選択するステップ、
−  （ｃ）：選択された周波数について、あるセルの近隣セルに関する無線測定を実行するための要求を含む制御メッセージを、選択された端末に送信するステップ、
−  （ｄ）：その周波数に関連するカウンタをインクリメントするステップ、
−  （ｅ）：そのカウンタが、その選択された周波数の目標値と等しい場合に、次いで、周波数リストからその選択された周波数を削除するステップ、
−  所定の時間、または、周波数リストが空になるまで、ステップ（ａ）、（ｂ）、（ｃ）、（ｄ）および（ｅ）を繰り返すこと。
【００１１】
非限定的実施形態によれば、本方法は、以下の追加的特性のうちの１つまたは複数を備え得る：
・選択される周波数が、最も高い優先度を有するものである。次いで、いくつかの近隣セルが、最上であると発見され得る。
・選択された端末が、コントローラを有する新たに接続された端末である。実際には、構成を、接続の初めに実現することがより便利である。加えて、近隣セルは、セル端に置かれる機会がある、新たに接続された端末によって、より容易に発見可能である。
・選択された端末が、コントローラを有する既に接続された端末である。その場合、あらゆる端末が使用される傾向があるので、端末資源は最適化される。
・補助的ステップは：
・コントローラと接続されたすべての端末を選択するステップ、及び
・選択された周波数について、あるセルの近隣セルに関する無線測定を実行する要求を含む制御メッセージを、選択された端末に送信するステップ、
である。
・補助的ステップは、所定の時間の後にカウンタをリセットする。次いで、存在しない近隣関係が発見されなくなるまで、本方法は再び実行され得る。
・近隣セルは、ＬＴＥセルまたは別の無線技術からのセルである。実際に、端末は、当該セルと同じ技術から近隣セル、または、別の技術から近隣セルを発見することができる。
【００１２】
加えて、セルを備える無線セルラ・ネットワーク内でコントローラが提供され、前記コントローラは、セルを制御し、以下を備える：
−  コントローラに接続された端末を選択するための選択手段、
−  選択された周波数について、そのあるセルの近隣セルに関する無線測定を実行するための要求を含む制御メッセージを、その選択された端末に送信するための構成手段であって、前記周波数が、優先度、目標値およびカウンタと関連付けられた、構成手段、
−  その周波数に関連するカウンタをインクリメントするためのインクリメント手段、
−  その周波数に関連する目標値とそのカウンタを比較するための比較手段。
【００１３】
加えて、コンピュータにロードされたときに、前述の特性のうちのいずれか１つに従って本方法をコンピュータに実行させる１セットの命令を備える、前記コンピュータのためのコンピュータ・プログラム製品が提供される。
【００１４】
本発明の実施形態による装置および／または方法のいくつかの実施形態が、ほんの一例として、そして、以下のような添付の図面を参照して、ここで説明される。
【図面の簡単な説明】
【００１５】
【図１】本発明による方法が実施されるネットワークの非限定的実施形態を概略的に示す図である。
【図２】本発明による方法の非限定的実施形態の機能図である。
【図３ａ】本発明による方法の第１の非限定的実施例において、周波数ｆ１で実現されるＡＮＲ測定値のグラフである。
【図３ｂ】第１の実施例で、周波数ｆ２で実現されるＡＮＲ測定値のグラフである。
【図３ｃ】第１の実施例で、周波数ｆ３で実現されるＡＮＲ測定値のグラフである。
【図４ａ】本発明による方法の第２の非限定的実施例において、周波数ｆ１で実現されるＡＮＲ測定値のグラフである。
【図４ｂ】第２の実施例で、周波数ｆ２で実現されるＡＮＲ測定値のグラフである。
【図４ｃ】第２の実施例で、周波数ｆ３で実現されるＡＮＲ測定値のグラフである。
【発明を実施するための形態】
【００１６】
以下の説明では、当業者によく知られている機能または構造は、それらが不必要な詳細で本発明を分かりにくくすることになるため、詳細には記載されない。
【００１７】
本発明は、図１に表すような、無線セルラ・ネットワークＮＴＷで実施される方法に関する。本方法は、コントローラｅＮＢによって供されるセルＣの近隣セルＮＣを発見するために使用される。いくつかの近隣セルＮＣは、セルＣと同じ無線技術、たとえばＬＴＥセル、からでもよく、そして、いくつかの近隣セルＮＣは、別の無線技術、たとえば２Ｇ、３ＧまたはＣＤＭＡ２０００セル、からでもよい。
【００１８】
セルＣ内に置かれた端末は、セルＣとコールを確立する際に、または、既に確立されたコール中に近隣セルＮＣからセルＣに移行する際に、コントローラｅＮＢと接続し得る。
【００１９】
コントローラｅＮＢは、以下を備える：
−  セルＣ内に置かれ、コントローラｅＮＢに接続された端末ＵＥを選択するための選択手段ｓｅｌｅｃｔ＿ｍｅａｎｓ、
−  自動近隣関係ＡＮＲ測定を実行するように端末ＵＥを構成するためおよび構成解除するための構成手段ｃｏｎｆｉｇ＿ｍｅａｎｓ、
−  端末ＵＥからＡＮＲ測定報告を受信するための受信手段ｒｅｃｅｐｔ＿ｍｅａｎｓ、
−  カウンタ（Ｃｏｕｎｔ）をインクリメントするためのインクリメント手段ｉｎｃｒｅｍｅｎｔ＿ｍｅａｎｓ、
−  カウンタ（Ｃｏｕｎｔ）を値と比較するための比較手段ｃｏｍｐａｒｅ＿ｍｅａｎｓ。
【００２０】
ネットワークＮＴＷの各近隣セルＮＣは、判定された周波数ｆを使用する。以下の説明で使用される非限定的例で、セルＣは周波数ｆ１を使用し、近隣セルＮＣは周波数ｆ１（セルＣによって使用されるものと同じもの）、ｆ２、およびｆ３を使用する。
【００２１】
各周波数ｆは、優先度Ｐｒｉｏと関連付けられる。周波数ｆの優先度Ｐｒｉｏは、運用および保守（ＯＡＭ）機能を介して、ネットワークＮＴＷのオペレータによって事前構成され、割当てのための周波数優先度ランクを定義する：優先度Ｐｒｉｏは、どの近隣セルＮＣが最初に発見されることになるかを判定する。周波数優先度は、様々な基準に基づく。たとえば、周波数ｆは、サービス（音声コール、ストリーミング・ビデオ、メール・コンサルテーション…）専用でもよく、したがって、オペレータは、他でのサービスに優先権を与えることができる。
【００２２】
以下の説明では、周波数ｆ１、ｆ２およびｆ３をそれぞれ優先度Ｐｒｉｏ１、Ｐｒｉｏ２およびＰｒｉｏ３、そして、たとえばＰｒｉｏ１＞Ｐｒｉｏ２＞Ｐｒｉｏ３、に関連付ける。結果として、この非限定的例で、ｆ１は、最も高い優先度を有する周波数である。
【００２３】
持続期間Ｔｃは、オペレータによって、たとえば１５秒で、事前構成される。本方法は、持続期間Ｔｃの初めに開始し、持続期間Ｔｃが終了しない限り、本方法は、以下を備える：
−  ステップ１（図２に示す機能選択）で、コントローラｅＮＢは、ＡＮＲ測定を実行するために構成される端末ＵＥを選択する。選択の候補は、コントローラｅＮＢと新たに接続された端末ＵＥ、即ち、持続期間Ｔｃの開始の後に接続され、且つ今まで一度も構成されていない端末ＵＥ、を意味する。選択は、選択手段ｓｅｌｅｃｔ＿ｍｅａｎｓを介して実現される。
【００２４】
新たに接続された端末ＵＥを選択することは、以下の利点を有することに留意されたい：
−  前述のように、いくつかの端末ＵＥは、既に確立されたコール中に近隣セルＮＣから移行する際にコントローラｅＮＢと接続する。結果として、これらの端末は、近隣セルＮＣを検出するための優先的な場所であるセルＣ端に位置する。実際に、いくつかの近隣セルＮＣ、特にセルＣ端にある近隣セルＮＣ、は、発見するのが難しい。
−  コントローラｅＮＢは、移動性を管理するために既に使用されたメッセージに構成命令を含むことができるので、構成は、接続の初めに実現することがより便利であり、前記メッセージは、コントローラｅＮＢから新たに接続された端末ＵＥに送信される。
【００２５】
ステップ２（機能構成）において、コントローラｅＮＢは、周波数ｆ１が最も高い優先度を有する周波数であるので、周波数ｆ１でのＡＮＲ測定のために選択された端末ＵＥを構成する。構成することは、周波数ｆ１が、ＡＮＲ測定を実行するために端末ＵＥに割り当てられることを意味する：端末ＵＥは、割り当てられた周波数ｆ１を使用する近隣セルＮＣを検出および報告する必要がある。構成は、制御メッセージを介し、構成手段ｃｏｎｆｉｇ＿ｍｅａｎｓを介して実現される。端末が近隣セルの無線信号を受信することができる場合、端末は近隣セルを検出することができることに留意されたい。さらに、セルＣで使用される周波数と同じ周波数での測定は、周波数内測定と呼ばれ、セルＣで使用される周波数と異なる周波数での測定は、異周波数測定と呼ばれる。
【００２６】
端末ＵＥは、周波数ｆ１でＡＮＲ測定を実行する：端末は、周波数ｆ１を使用する近隣セルＮＣの発見を試みる。
【００２７】
各周波数ｆは、目標値ＴＶおよびカウンタＣｏｕｎｔと関連付けられる：ｆ１、ｆ２およびｆ３は、ＴＶ１、ＴＶ２、ＴＶ３と、ならびに、Ｃｏｕｎｔ１、Ｃｏｕｎｔ２およびＣｏｕｎｔ３と、それぞれ関連付けられる。カウンタＣｏｕｎｔは、特定の周波数ｆで少なくとも一度構成された端末ＵＥの総数を数えることを目的とする。目標値ＴＶは、持続期間Ｔｃが終了する前のカウンタＣｏｕｎｔの目標値を表し、セルＣ内の端末トラフィックに基づいて、オペレータによって事前定義される：トラフィックが高ければ高いほど、より多くの端末ＵＥがＡＮＲ測定を実行するために構成され得るので、トラフィック値ＴＶは高くなり得る。
【００２８】
−  ステップ３（機能インクリメント）で、コントローラｅＮＢは、周波数ｆ１と関連付けられたカウンタＣｏｕｎｔ１の値を１インクリメントする。インクリメントは、インクリメント手段ｉｎｃｒｅｍｅｎｔ＿ｍｅａｎｓを介して実現される。
【００２９】
−  ステップ４（機能受信）で、コントローラｅＮＢは、端末ＵＥからＡＮＲ測定報告を受信する。前記報告は、周波数ｆ１を使用する検出された近隣セルＮＣのＰＣＩ／ＣＧＩ、トラッキング・エリア・コード（ＴＡＣ）、およびすべての使用可能なオペレータコード（ＰＬＭＮ  ＩＤ）を備える。受信は、受信手段ｒｅｃｅｐｔ＿ｍｅａｎｓを介して実現される。
【００３０】
−  ステップ５（機能構成解除）で、ＡＮＲ測定報告の受信の後、端末ＵＥは、周波数ｆ１でのＡＮＲ測定のための構成を解除される。いずれかの端末ＵＥがそれ自体の構成を解除し、いずれかのコントローラが、制御メッセージを介し、構成手段ｃｏｎｆｉｇ＿ｍｅａｎｓを介して端末の構成を解除する。
【００３１】
−  ステップ６（機能比較）で、コントローラｅＮＢは、カウンタＣｏｕｎｔ１を関連目標値ＴＶ１と比較する。比較は、比較手段ｃｏｍｐａｒｅ＿ｍｅａｎｓを介して実現される。
【００３２】
ステップ１から６は、カウンタＣｏｕｎｔ１の値が目標値ＴＶ１と等しくなるまで、または持続期間Ｔｃが終了するまで、構成されなかった他の新たに接続された端末ＵＥで独立して実行される。
【００３３】
カウンタＣｏｕｎｔ１の値が、持続期間Ｔｃが終了する前に目標値ＴＶ１と等しくなった場合、次いで、ステップ１から６が別の周波数ｆ、２番目に高い優先度Ｐｒｉｏ２を有する周波数ｆ２、で実行される。次いで、カウンタＣｏｕｎｔ２の値が目標値ＴＶ２と等しくなるまで、または持続期間Ｔｃが終了するまで、ステップ１から６が、前と同じ方法で、構成されていない新たに接続された端末ＵＥで同時に実行される。
【００３４】
持続期間Ｔｃが終了する前に、カウンタＣｏｕｎｔ２の値が目標値ＴＶ２と等しくなった場合、次いで、あらゆる周波数が処理されるまで、または持続期間Ｔｃが終了するまで、ループは、別の周波数と同じ方法で継続する。
【００３５】
継続して処理する周波数ｆのカウンタＣｏｕｎｔが関連目標値ＴＶと等しくなる前に持続期間Ｔｃが終了した場合には、所定の目標値ＴＶについて近隣セルＮＣを発見するために十分な端末トラフィックがセルＣ内に存在していなかったということである。その場合、本方法は、以下の追加のステップを含む：
【００３６】
−  ステップ７（機能選択）で、コントローラｅＮＢは、セルＣ内に既に置かれ、コントローラｅＮＢに接続され、そして、新たな測定を行うために使用可能な、すべての端末ＵＥを選択する。この選択は、目標値ＴＶに速く到達することを試みるために最大限の使用可能な端末を再構成することを目的とする。端末が再使用されるので、端末個体数は、その場合、最適化される。
【００３７】
−  ステップ８（機能構成）で、コントローラｅＮＢは、周波数ｆでのＡＮＲ測定のためにこれらの端末ＵＥを再構成する。
【００３８】
−  ステップ９（機能インクリメント）で、コントローラｅＮＢは、構成された端末ＵＥの数によって、カウンタＣｏｕｎｔをインクリメントする。
【００３９】
−  ステップ１０（機能受信）で、コントローラｅＮＢは、端末ＵＥからＡＮＲ測定報告を受信する。
【００４０】
−  ステップ１１（機能構成解除）で、コントローラｅＮＢは、周波数ｆでのＡＮＲ測定のために端末ＵＥの構成を解除する。
【００４１】
−  ステップ１２で、コントローラは、あらゆる周波数ｆに関連するあらゆるカウンタＣｏｕｎｔをリセットする。
【００４２】
長い持続期間Ｔｃは長い発見時間を暗示し、短い持続期間Ｔｃは高度処理を暗示することに留意されたい。したがって、持続期間Ｔｃは、２つの場合の間のトレードオフでなくてはならない。
【００４３】
図３Ａから３Ｃおよび図４Ａから４Ｃは、本発明による方法の第１の実施例および第２の実施例をそれぞれ示すグラフである。
【００４４】
以下のように仮定する：
−  近隣セルＮＣ発見のために考慮される周波数：１つの内部周波数ｉｎｔｒａ＿ｆ０、および、２つの異周波数ＵＴＲＡ＿ｆ１およびＵＴＲＡ＿ｆ２。着信端末ＵＥは、これらの３つの周波数でＡＮＲ測定を実行する無線機能を有する。
−  ｉｎｔｒａ＿ｆ０優先度＞ＵＴＲＡ＿ｆ１優先度＞ＵＴＲＡ＿ｆ２優先度
−  持続期間Ｔｃ＝１５秒
−  前記セルＣ内の端末トラフィック：１０着信コール／秒
−  平均コール持続期間：１５秒
−  ＡＮＲ測定の平均検出時間：３秒
−  内部周波数ｉｎｔｒａ＿ｆ０でのＡＮＲ測定のために構成された端末ＵＥは、５秒間構成されたままであり、次いで、コントローラｅＮＢによって構成解除される。
−  異周波数ＵＴＲＡ＿ｆ１またはＵＴＲＡ＿ｆ２でのＡＮＲ測定のために構成された端末ＵＥは、検出時間（３秒）の間構成されたままであり、次いで、それら自体を構成解除する。
【実施例１】
【００４５】
第１の実施例についての仮定：ｉｎｔｒａ＿ｆ０目標値（ＴＶ＿ｆ０と称される）＝ＵＴＲＡ＿ｆ１目標値（ＴＶ＿ｆ１と称される）＝ＵＴＲＡ＿ｆ２目標値（ＴＶ＿ｆ２と称される）＝５０の構成されたモバイル。
【００４６】
図３Ａ、３Ｂおよび３Ｃのグラフは、以下を表す：
−  曲線ｆ０＿Ｃｏｕｎｔ、ｆ１＿Ｃｏｕｎｔおよびｆ２＿Ｃｏｕｎｔは、それぞれ周波数ｉｎｔｒａ＿ｆ０、ＵＴＲＡ＿ｆ１およびＵＴＲＡ＿ｆ２で少なくとも一度は構成された、または構成されたことがある、端末ＵＥの総数を表す周波数ｉｎｔｒａ＿ｆ０、ＵＴＲＡ＿ｆ１およびＵＴＲＡ＿ｆ２にそれぞれ関連するカウンタの値である。
−  曲線ｆ０＿ｃｕｒｒｅｎｔ、ｆ１＿ｃｕｒｒｅｎｔおよびｆ２＿ｃｕｒｒｅｎｔは、それぞれ周波数ｉｎｔｒａ＿ｆ０、ＵＴＲＡ＿ｆ１およびＵＴＲＡ＿ｆ２で構成された端末ＵＥの現在の数である（構成解除された端末ＵＥは減算される）。
【００４７】
・０から約５秒：曲線ｆ０＿Ｃｏｕｎｔによって表されるように、コントローラｅＮＢは、それが最も高い優先度を有する周波数であるので、内部周波数ｉｎｔｒａ＿ｆ０に５０の最初の着信コールを割り当てる。周波数ｆ０に関連するカウンタＣｏｕｎｔ＿ｆ０が目標値ＴＶ＿ｆ０より低い限り、構成は処理し続ける。
【００４８】
・約５秒から約１０秒：曲線ｆ１＿Ｃｏｕｎｔによって表されるように、コントローラｅＮＢは、それが２番目に高い優先度を有する周波数であるので、異周波数ＵＴＲＡ＿ｆ１に次の５０の着信コールを割り当てる。周波数ｆ１に関連するカウンタＣｏｕｎｔ＿ｆ１が目標値ＴＶ＿ｆ１よりも低い限り、構成が処理され続ける。異周波数ＵＴＲＡ＿ｆ１でのＡＮＲ測定のために構成された端末ＵＥは、検出時間（３秒）の間構成されたままであり、次いで、それら自体を構成解除するので、曲線ｆ１＿ｃｕｒｒｅｎｔは８秒（それが増加を開始してから３秒後）で増加が止まることに留意されたい。結果として、新たに接続された端末ＵＥの数は、構成解除される端末ＵＥの数を補い、それによって曲線ｆ１＿ｃｕｒｒｅｎｔは一定になる。
【００４９】
・約１０から約１５秒：曲線ｆ２＿Ｃｏｕｎｔによって表されるように、コントローラｅＮＢは、それが３番目に高い優先度を有する周波数であるので、異周波数ＵＴＲＡ＿ｆ２に次の５０の着信コールを割り当てる。周波数ｆ２に関連するカウンタＣｏｕｎｔ＿ｆ２が目標値ＴＶ＿ｆ２より低い限り、構成が処理される。異周波数ＵＴＲＡ＿ｆ２でのＡＮＲ測定のために構成された端末ＵＥは、検出時間（３秒）の間構成されたままであり、次いで、それら自体を構成解除するので、曲線ｆ２＿ｃｕｒｒｅｎｔは、１３秒（それが増加を開始してから３秒後）で増加が止まることに留意されたい。結果として、新たに接続された端末ＵＥの数は、構成解除される端末ＵＥの数を補い、それによって、曲線ｆ２＿ｃｕｒｒｅｎｔは一定になる。
【００５０】
・約１５秒（持続期間Ｔｃの値）において：コントローラは、Ｃｏｕｎｔ＿ｆ２＝ＴＶ＿ｆ２であるかどうかを検査する。この例では、それに当てはまるため、コントローラｅＮＢは、あらゆる周波数に関連するあらゆるカウンタＣｏｕｎｔをリセットする。それにより、曲線ｆ０＿Ｃｏｕｎｔ、ｆ１＿Ｃｏｕｎｔおよびｆ２＿Ｃｏｕｎｔは、０に下がる。
【００５１】
結論として、この第１の実施例で、セルＣ内の端末ＵＥトラフィックは、３つの周波数であらゆるＡＮＲ測定を実行するのに十分であり、それは目標値ＴＶが端末トラフィックのちょうど１／３であったので、意外なことではない。
【実施例２】
【００５２】
第２の実施例についての仮定：ＴＶ＿ｆ０＝ＴＶ＿ｆ１＝ＴＶ＿ｆ２＝１００の構成されたモバイル。
【００５３】
図４Ａ、４Ｂおよび４Ｃのグラフは、以下を表す：
−  曲線ｆ０＿Ｃｏｕｎｔ’、ｆ１＿Ｃｏｕｎｔ’およびｆ２＿Ｃｏｕｎｔ’は、それぞれ周波数ｉｎｔｒａ＿ｆ０、ＵＴＲＡ＿ｆ１およびＵＴＲＡ＿ｆ２で少なくとも一度構成されたまたは構成されたことがある端末ＵＥの総数を表す、周波数ｉｎｔｒａ＿ｆ０、ＵＴＲＡ＿ｆ１およびＵＴＲＡ＿ｆ２にそれぞれ関連するカウンタの値である。
−  曲線ｆ０＿ｃｕｒｒｅｎｔ’、ｆ１＿ｃｕｒｒｅｎｔ’およびｆ２＿ｃｕｒｒｅｎｔ’は、それぞれ周波数ｉｎｔｒａ＿ｆ０、ＵＴＲＡ＿ｆ１およびＵＴＲＡ＿ｆ２で構成された端末ＵＥの現在の数である（構成解除された端末ＵＥは、減算される）。
【００５４】
・０から約１０秒：曲線ｆ０＿Ｃｏｕｎｔ’によって表されるように、コントローラｅＮＢは、それが最も高い優先度を有する周波数であるので、内部周波数ｉｎｔｒａ＿ｆ０に最初の１００の着信コールを割り当てる。周波数ｆ０に関連するカウンタＣｏｕｎｔ＿ｆ０が目標値ＴＶ＿ｆ０より低い限り、構成が処理され続ける。内部周波数ｉｎｔｒａ＿ｆ０でのＡＮＲ測定のために構成された端末ＵＥは、５秒の間構成されたままであり、次いで、構成解除されるので、曲線ｆ０＿ｃｕｒｒｅｎｔ’は約５秒で増加が止まることに留意されたい。結果として、新たに接続された端末ＵＥの数は、構成解除される端末ＵＥの数を補い、それによって、曲線ｆ０＿ｃｕｒｒｅｎｔ’は一定になる。
【００５５】
・約１０から約１５秒：曲線ｆ１＿Ｃｏｕｎｔ’によって表されるように、コントローラｅＮＢは、それが２番目に高い優先度を有する周波数であるので、異周波数ＵＴＲＡ＿ｆ１に次の５０着信コールを割り当てる。周波数ｆ１に関連するカウンタＣｏｕｎｔ＿ｆ１が目標値ＴＶ＿ｆ１より低い限り、構成は処理される。異周波数ＵＴＲＡ＿ｆ１でのＡＮＲ測定のために構成された端末ＵＥは検出時間（３秒）の間構成されたままであり、次いで、それら自体を構成解除するので、曲線ｆ１＿ｃｕｒｒｅｎｔ’は約１３秒（それが増加を開始してから３秒後）で増加を止めることに留意されたい。結果として、新たに接続された端末ＵＥの数は、構成解除される端末ＵＥの数を補い、それによって、曲線ｆ１＿ｃｕｒｒｅｎｔ’は一定になる。
【００５６】
・約１５秒（持続期間Ｔｃの値）において：コントローラｅＮＢは、Ｃｏｕｎｔ＿ｆ１＝ＴＶ＿ｆ１かどうかを検査する。この例では、Ｃｏｕｎｔ＿ｆ１＝５０であるので、それは当てはまらず、したがって、コントローラｅＮＢは、任意の周波数で既に構成され、次いで構成解除されたすべての端末ＵＥを選択する。それは、接続された端末ＵＥの総数からＡＮＲ測定のために現在構成されている端末ＵＥの現在の数を減算することによって、計算される：（セル内のコール処理能力＊平均コール持続期間）−（ｆ０＿ｃｕｒｒｅｎｔ＋ｆ１＿ｃｕｒｒｅｎｔ＋ｆ２＿ｃｕｒｒｅｎｔ）＝（１０着信コール／秒＊１５秒）−（０＋３０＋０）＝それらのＡＮＲ測定を終了した、まだ接続されている１２０の端末ＵＥ。
【００５７】
・コントローラは、これらの端末のうちの５０端末をＡＮＲ測定のための異周波数ＵＴＲＡ＿ｆ１に（したがって、Ｃｏｕｎｔ＿ｆ１＝ＴＶ＿ｆ１）、そして、最後の７０端末（１２０−５０）をＡＮＲ測定のための異周波数ＵＴＲＡ＿ｆ２に割り当てる。
【００５８】
・次いで、コントローラｅＮＢは、あらゆる周波数に関連するあらゆるカウンタＣｏｕｎｔをリセットする。それによって、曲線ｆ０＿Ｃｏｕｎｔおよびｆ１＿Ｃｏｕｎｔは、０に下がる。
【００５９】
ＡＮＲ測定は周波数ＵＴＲＡ＿ｆ２で実行されなかったことに留意されたい。結論として、この第２の実施例で、セルＣ内の端末ＵＥトラフィックは、それらの３つの周波数であらゆるＡＮＲ測定を実行するのには十分ではなく、それは目標値ＴＶがその端末トラフィックの１／３より高かったので、意外なことではない。
【００６０】
本発明は、端末資源の最適化において、ＡＮＲ測定のために、セルＣ内に置かれたおよびコントローラｅＮＢに接続されたモバイルを割り当てることを可能にする。
【００６１】
前述の方法のステップは、プログラムされたコンピュータによって実行され得ることが、当業者には容易に理解されよう。本明細書では、いくつかの実施形態はまた、コンピュータにロードされたときにコンピュータに前述の方法を実行させる１セットの命令を備える、前記コンピュータのためのプログラム製品を包含することを意図されている。そのプログラム記憶装置は、たとえば、デジタル・メモリ、磁気ディスクおよび磁気テープなどの磁気記憶媒体、ハードドライブ、または、光可読デジタル・データ記憶媒体でもよい。これらの実施形態はまた、前述の方法の前記ステップを実行するようにプログラムされたコンピュータを包含することを意図されている。
【００６２】
図２の非限定的実施形態で、コントローラｅＮＢは、コンピュータ・プログラム製品ＰＧを備え、前記コンピュータ・プログラム製品は１セットの命令を備える。したがって、たとえばコントローラｅＮＢプログラミング・メモリ内に、含まれる前記セットの命令は、そのコントローラに本方法の異なるステップを実行させることができる。そのセットの命令は、たとえばディスクなど、データ搬送波を読み取ることによってプログラミング・メモリにロードされ得る。サービス・プロバイダはまた、たとえばインターネットなど、通信ネットワークを介して使用可能な命令のセットを作ることができる。
【００６３】
もちろん、別の非限定的実施形態で、コントローラは、複数のコンピュータ・プログラム製品ＰＧを備え得る。
【００６４】
本明細書および図面は、本発明の原理を単に説明する。したがって、本明細書には明示的に記載または図示されていないが、当業者は、本発明の原理を実施し、その趣旨および範囲内に含まれる様々な配列を考案できるようになることが理解されよう。さらに、本明細書に記載のすべての例は、発明者が、本発明の原理および当技術分野の促進のために寄与される概念を、読者が理解するのを助けるための、単なる教育的目的として明示的に意図したものであり、そのような具体的に記載された例および条件への限定がないものとして解釈されるべきである。さらに、本発明の原理、態様、および実施形態を挙げる本明細書のすべての記述、ならびに、その具体的な例は、それらの同等物を包含するものである。
【図１】
0005890538.tif 000002
【図２】
0005890538.tif 000003
【図３ａ】
0005890538.tif 000004
【図３ｂ】
0005890538.tif 000005
【図３ｃ】
0005890538.tif 000006
【図４ａ】
0005890538.tif 000007
【図４ｂ】
0005890538.tif 000008
【図４ｃ】
0005890538.tif 000009